(57)【特許請求の範囲】
【請求項１】
端面に凹部が形成されたころを収容する複数のポケットを、周方向に沿って所定間隔毎に形成している内外輪鍔付きのころ軸受用の保持器において、
上記ポケットのころの端面に対向する面に、上記ころの端面の凹部と共に閉塞可能な油溜めを構成する油溜め用の凹部であって、長軸が周方向の楕円断面形状を呈する凹部を形成しているとともに、この油溜め用の凹部の少なくとも開口縁部を、その周囲面に対して曲面で連続させていることを特徴とするころ軸受用の保持器。
【請求項２】
トランスミッション用軸受に用いられる請求項１記載のころ軸受用の保持器。
【発明の詳細な説明】
【０００１】
【産業上の利用分野】
この発明は、ころ軸受用の保持器に関する。
【０００２】
【従来の技術】
従来、円筒ころ軸受、円すいころ軸受、自動調心ころ軸受等のころ軸受には、複数個のころを所定間隔毎に保持するために、金属製又は合成樹脂製の保持器が使用されている。この保持器は、ころを収容する複数のポケットを、周方向に沿って所定間隔毎に形成しているものであり、使用時におけるころの自転及び公転に伴って、上記ポケット面が、ころの外周面及び端面に摺接する。
【０００３】
【発明が解決しようとする課題】
ところで、アキシアル荷重とラジアル荷重の双方が付加される例えばトラック用のトランスミッションに組み込まれる転がり軸受としては、一般に玉軸受が使用されている。ところが、近年、この転がり軸受について、より高速回転で高負荷に耐えることが要請されている。
そこで、アキシアル荷重及びラジアル荷重に対する負荷容量の面で、上記玉軸受よりも優れるころ軸受の使用が検討されている。しかし、このころ軸受は、図５に示すように、アキシアル荷重をころ２の端面と内外輪５，６の鍔５１，６１との面接触によって受け止める構造上、これを高速回転及び高荷重条件で使用すると、両者の接触面（摺接面）Ｓ２に潤滑剤が供給され難い点と相まって、合成樹脂製の保持器７については、焼付いたり、多量に発生する摩擦熱により溶融破損したり、回転中のころ２に進み遅れが発生して、ころ２の周面と接する保持器７の柱に過大な力がかかることにより、上記柱が折損したりするおそれがあった。また、金属製の保持器７の場合には、保持器７ところ２とが焼付くおそれがあった。
従って、大きなアキシアル荷重とラジアル荷重とが付加される条件下において、上記ころ軸受を高速回転で使用することは困難であった。
この発明は上記問題点に鑑みてなされたものであり、アキシアル荷重に対する負荷容量が大きく、高速回転でも使用することができるころ軸受用の保持器を提供することを目的とする。
【０００４】
【課題を解決するための手段】
上記目的を達成するためのこの発明のころ軸受用の保持器は、端面に凹部が形成されたころを収容する複数のポケットを、周方向に沿って所定間隔毎に形成している内外輪鍔付きのころ軸受用の保持器において、
上記ポケットのころの端面に対向する面に、上記ころの端面の凹部と共に閉塞可能な油溜めを構成する油溜め用の凹部であって、長軸が周方向の楕円断面形状を呈する凹部を形成しているとともに、この油溜め用の凹部の少なくとも開口縁部を、その周囲面に対して曲面で連続させていることを特徴とするものである。
ただし、上記保持器は、トランスミッション用軸受に用いられるのが好ましい。
【０００５】
【作用】
上記の構成のころ軸受用の保持器によれば、これをころ軸受に組み込んだ状態で、当該ころ軸受に充填された潤滑剤の一部を、上記油溜め用の凹部に溜めておくことができ、この凹部に溜めた潤滑剤によって、ころの端面と保持器との摺接面を直接潤滑することができる。しかも、上記凹部の少なくとも開口縁部を、その周囲面に対して滑らかな曲面で連続させているので、上記凹部に溜めた潤滑剤を、ころの端面と保持器との摺接面、及びころの端面と内外輪の鍔との摺接面に効率良く供給することができる。このため、当該摺接面の良好な潤滑性を確保することができる。
【０００６】
【実施例】
以下、この発明の実施例について、添付図面を参照しながら詳細に説明する。図１は、この発明のころ軸受用の保持器の一実施例を示す要部正面図及び拡大断面図である。このころ軸受用の保持器１は、円筒ころ軸受用のものであり、全体がガラス繊維を混入したナイロン４６等のポリアミド系の合成樹脂によって形成されている。この保持器１には、複数個のポケット３が、周方向に沿って所定間隔毎に形成されており、各ポケット３には所定隙間を設けた状態で円筒ころ２が収容されている。
【０００７】
上記各ポケット３のうちの、円筒ころ２の一端面２１に対向する第１の端面３１と、円筒ころ２の他端面２２に対向する第２の端面３２のそれぞれには、油溜め用の凹部４が形成されている。この凹部４は、全体が湾曲面からなる楕円断面形状のものであり（図２参照）、その深さは浅く形成されている。また、上記凹部４の開口部４１は、円筒ころ２の各端面２１，２２が上記第１，第２の端面３１，３２にそれぞれ接触した際に、当該円筒ころ２の各端面２１，２２によって閉塞可能な大きさに設定されている。さらに、上記凹部４の開口縁部４２から底部にかけては、当該凹部４の周囲面（摺接面Ｓ１）に対して滑らかな曲面で連続させてある（図１ｂ及び図３参照）。
【０００８】
以上の構成であれば、保持器１をころ軸受に組み込んだ状態で、当該ころ軸受に充填された潤滑剤の一部を、上記保持器１のポケット３に形成された油溜め用の凹部４に溜めておくことができ、この凹部４に溜めた潤滑剤によって、円筒ころ２の端面２１，２２と保持器１との摺接面Ｓ１を直接潤滑することができる。しかも、上記凹部４を、その周囲面に対して滑らかな曲面で連続させているので、当該凹部４に溜めた潤滑剤を、上記摺接面Ｓ１に効率良く供給することができると同時に、円筒ころ２の端面２１，２２と軸受の内外輪５，６の鍔５１，６１との摺接面Ｓ２（図５参照）にも潤滑剤を効率良く供給することができる。即ち、上記凹部４の開口縁部４２が角張っていると、円筒ころ２の端面２１，２２に付着した凹部４内の潤滑剤が、当該開口縁部４２によって掻き落とされてしまい、円筒ころ２の端面２１，２２と保持器１との摺接面Ｓ１や、円筒ころ２の端面２１，２２と軸受の内外輪５，６の鍔５１，６１との摺接面Ｓ２に潤滑剤を効率よく供給することができないが、この実施例のように、上記凹部４の開口縁部４２と摺接面Ｓ１とを滑らかな曲面で連続させていると、上記凹部４に溜めた潤滑剤を、上記摺接面Ｓ１，Ｓ２に効率良く供給することができる。このため、当該摺接面Ｓ１，Ｓ２の潤滑性を良好に確保することができる結果、ころ軸受のアキシアル荷重に対する負荷容量を高めることができるとともに、高速回転時において上記摺接面Ｓ１，Ｓ２が発熱したり、保持器１の柱１１に過大な力が作用したりするのを抑制することができる。従って、大きなアキシアル荷重とラジアル荷重とが付加される条件下において、ころ軸受を高速回転で使用することができる。
【０００９】
なお、上記凹部４の開口面積は、ころ軸受の使用条件に合わせて、潤滑剤を摺接面Ｓ１，Ｓ２に最適に供給できるように設定される。また、円筒ころ２の端面２１，２２に形成された凹部２３の開口面積を調整することによっても、潤滑剤の供給状態を調整することも可能である。
上記凹部４は、環状のものであってもよく、また、少なくとも開口縁部４２を摺接面Ｓ１に対して滑らかな曲面で連続させてあればよい（いずれも図４参照）。
また、この発明の保持器は、上記合成樹脂によって形成する他、黄銅等の金属によって形成してもよい。さらに、この発明の保持器は、円筒ころ軸受用の保持器の他、円すいころ軸受や自動調心ころ軸受等の他のころ軸受用の保持器にも適用して実施することができる。
【００１０】
【発明の効果】
以上のように、この発明のころ軸受用の保持器によれば、ころ軸受に充填された潤滑剤の一部を、油溜め用の凹部に溜めておくことができるので、上記凹部の少なくとも開口縁部を、その周囲面に対して曲面で連続させている点と相まって、ころの端面と保持器との摺接面、及びころの端面と軸受の内外輪の鍔との摺接面を、良好な潤滑状態に維持することができる。このため、高速回転時において上記摺接面が発熱したり、保持器の柱に過大な力が作用したりするのを抑制することができる結果、ころ軸受のアキシアル荷重に対する負荷容量を高めることができる。従って、大きなアキシアル荷重とラジアル荷重とが付加される条件下において、ころ軸受を高速回転で使用することができるという特有の効果を奏する。
特に、上記保持器が合成樹脂製である場合には、上記効果をより顕著に奏することができる。
【図面の簡単な説明】
【図１】この発明のころ軸受用の保持器の一実施例を示す図であり、(a) は正面図、(b) は要部拡大断面図である。
【図２】図１のII−II線における要部断面図である。
【図３】図２のIII −III 線における要部端面図である。
【図４】他の実施例を示す要部拡大断面図である。
【図５】この発明のころ軸受用の保持器が適用される円筒ころ軸受の要部断面図である。
【符号の説明】
１      保持器
２      ころ
２１    ころの端面
２２    ころの端面
３      ポケット
４      凹部
４２    開口縁部
【図１】
0003723247.tif 000002
【図２】
0003723247.tif 000003
【図３】
0003723247.tif 000004
【図４】
0003723247.tif 000005
【図５】
0003723247.tif 000006